(57)【要約】【課題】  クリップが通常の回動範囲を超えて開放動作してしまうのを抑制することができる開閉操作機能付クリップの支持構造を提供する。【解決手段】  クリップ２０の揺動支点である枢支部は、クリップ２０とクリップ支持体１０との内の一方に設けられてクリップ幅方向へ突出する枢支凸部２２ａと、その他方に設けられるとともに枢支凸部２２ａに嵌り合って枢支凸部２２ａを回動可能に支持する枢支凹部１１ｂとからなり、枢支凸部２２ａの外周部には、係止突起２２ａ１が設けられ、枢支凹部１１ｂの内周部には、クリップ２０の開放動作に伴って所定量回動した際の係止突起２２ａ１に当接されるように、被当接部１１ｂ１が設けられている。【選択図】  図４
2010083070.tif 000002
【特許請求の範囲】
【請求項１】
軸筒の外周部に設けられるクリップ支持体と、該クリップ支持体に枢支されたクリップと、前記クリップの枢支部よりも前部側を前記クリップ支持体に接近させるように付勢する付勢部材とを備え、前記付勢部材の付勢力に抗して前記クリップの枢支部よりも後部側がクリップ支持体側へ押圧されることで前記クリップの枢支部よりも前部側を前記クリップ支持体から離間する開放方向へ揺動させるようにした開閉操作機能付クリップの支持構造において、
前記枢支部は、前記クリップと前記クリップ支持体との内の一方に設けられてクリップ幅方向へ突出する枢支凸部と、その他方に設けられるとともに前記枢支凸部に嵌り合って前記枢支凸部を回動可能に支持する枢支凹部とからなり、
前記枢支凸部の外周部には、係止突起が設けられ、
前記枢支凹部の内周部には、前記クリップの開放動作に伴って所定量回動した際の前記係止突起に当接されるように、被当接部が設けられていることを特徴とする開閉操作機能付クリップの支持構造。
【請求項２】
前記クリップは、軸筒軸方向へわたる表板部と、該表板部の幅方向の両側からクリップ支持体側へ突出する両側板部とを備え、前記両側板部の各内面に前記枢支凸部を設けてなり、
前記クリップ支持体は、前記クリップの両側板部間へ突出する支持体本体部を有するとともに、該支持体本体部の両側面の各々に、前記枢支凸部と嵌り合う前記枢支凹部を設けてなることを特徴とする請求項１記載の開閉操作機能付クリップの支持構造。
【請求項３】
前記係止突起は、クリップ前方寄りであって且つ前記表板部寄りに配置されていることを特徴とする請求項２記載の開閉操作機能付クリップの支持構造。
【請求項４】
前記付勢部材が前記クリップの枢支部よりも後部側と前記クリップ支持体との間に設けられた圧縮コイルバネであって、
前記圧縮コイルバネの一端側を、前記クリップの内面と前記クリップ支持体との内の一方に設けられたバネ嵌合凹部に嵌合するとともに、同圧縮コイルバネの他端側を、前記クリップの内面と前記軸筒外周面との内の他方に設けられたバネ受部であって、かつ前記圧縮コイルバネの内外にわたって凹凸のない略平坦面状のバネ受部に当接させるようにしたことを特徴とする請求項１乃至３何れか１項記載の開閉操作機能付クリップの支持構造。
【発明の詳細な説明】
【技術分野】
【０００１】
本発明は、筆記具等の軸筒の後端側に設けられるクリップの支持構造に関し、特にクリップ後部側への押圧操作によりクリップ前端側を開放可能な開閉操作機能付クリップの支持構造及び該開閉操作機能付クリップの支持構造の組み立て方法に関するものである。
【背景技術】
【０００２】
従来、この種の発明には、特許文献１に記載されたもののように、軸筒やキャップ等の筒体（１０）の外周部に、クリップ（３０）を揺動可能に支持し、該クリップ（３０）を、一端側が前記筒体（１０）に固定された略Ｕ字状の挟みバネ（２０）によって閉鎖方向へ付勢するようにした筆記具のクリップ取付装置がある。
ところで、前記従来技術によれば、悪戯等によりクリップ（３０）の先端側が通常の回動範囲を超えて開放方向へ強引に持ち上げられた場合、前記挟みバネ（２０）が弾性域を超えて開放方向へ変形してしまい、クリップ（３０）が脱落してしまうおそれがある。
そこで、例えば、特許文献２に記載される発明のように、圧縮コイルバネによってクリップを閉鎖方向へ付勢するようにした構造が望まれる。
【０００３】
しかしながら、前記した何れの従来技術においても、クリップの開放量を該クリップの後端部と軸筒外周面との当接により規制する構造であるため、軸筒外周面に、クリップ後端部による当接跡や傷が付いてしまうおそれがある。
【特許文献１】特開２００１−１４６０９４号公報
【特許文献２】特開２００６−２４０１０５号公報
【発明の開示】
【発明が解決しようとする課題】
【０００４】
本発明は上記従来事情に鑑みてなされたものであり、その課題とする処は、クリップが通常の回動範囲を超えて開放動作してしまうのを抑制することができる開閉操作機能付クリップの支持構造を提供することにある。
【課題を解決するための手段】
【０００５】
上記課題を解決するための技術的手段は、軸筒の外周部に設けられるクリップ支持体と、該クリップ支持体に枢支されたクリップと、前記クリップの枢支部よりも前部側を前記クリップ支持体に接近させるように付勢する付勢部材とを備え、前記付勢部材の付勢力に抗して前記クリップの枢支部よりも後部側がクリップ支持体側へ押圧されることで前記クリップの枢支部よりも前部側を前記クリップ支持体から離間する開放方向へ揺動させるようにした開閉操作機能付クリップの支持構造において、前記枢支部は、前記クリップと前記クリップ支持体との内の一方に設けられてクリップ幅方向へ突出する枢支凸部と、その他方に設けられるとともに前記枢支凸部に嵌り合って前記枢支凸部を回動可能に支持する枢支凹部とからなり、前記枢支凸部の外周部には、係止突起が設けられ、前記枢支凹部の内周部には、前記クリップの開放動作に伴って所定量回動した際の前記係止突起に当接されるように、被当接部が設けられていることを特徴とする。
この手段によれば、クリップが開放動作に伴って所定量回動すると、枢支凸部の外周部の係止突起が、枢支凹部の内周部の被当接部に当接して、枢支凸部の回動量を規制する。
【０００６】
更なる技術的手段では、前記クリップは、軸筒軸方向へわたる表板部と、該表板部の幅方向の両側からクリップ支持体側へ突出する両側板部とを備え、前記両側板部の各内面に前記枢支凸部を設けてなり、前記クリップ支持体は、前記クリップの両側板部間へ突出する支持体本体部を有するとともに、該支持体本体部の両側面の各々に、前記枢支凸部と嵌り合う前記枢支凹部を設けてなることを特徴とする。
この手段によれば、クリップの両側板部に孔や溝を設けないようにしているため耐久性が良好な上、生産性も良好な具体的態様とすることができる。
【０００７】
更なる技術的手段では、前記係止突起は、クリップ前方寄りであって且つ前記表板部寄りに配置されていることを特徴とする。
この手段によれば、クリップの開放動作量を効果的に抑制できる上、成形性も良好である。
【０００８】
更なる技術的手段では、前記付勢部材が前記クリップの枢支部よりも後部側と前記クリップ支持体との間に設けられた圧縮コイルバネであって、前記圧縮コイルバネの一端側を、前記クリップの内面と前記クリップ支持体との内の一方に設けられたバネ嵌合凹部に嵌合するとともに、同圧縮コイルバネの他端側を、前記クリップの内面と前記軸筒外周面との内の他方に設けられたバネ受部であって、かつ前記圧縮コイルバネの内外にわたって凹凸のない略平坦面状のバネ受部に当接させるようにしたことを特徴とする。
この手段によれば、圧縮コイルバネがバネ嵌合凹部に嵌合されて容易に抜け落ちない構造であるため、組立作業中に圧縮コイルバネが脱落や紛失するのを防ぐことができる。しかも、圧縮コイルバネの他端側を嵌合しない構造としているため、組立作業において該他端側の位置合わせが不要である。その上、圧縮コイルバネの内外に接触する部分が比較的少ない構成としているため、圧縮コイルバネの弾発力を効果的に発揮することができる。
【発明の効果】
【０００９】
本発明は、以上説明したように構成されているので、以下に記載されるような作用効果を奏する。
クリップを所定量開放すると、枢支凸部の外周部の係止凸部が、枢支凹部の内周部の被当接部に当接するため、クリップが通常の回動範囲を超えて開放動作してしまうのを抑制することができる。ひいては、クリップが所定量以上強引に回動させられて破損や脱落を生じるようなことや、クリップ後端側が軸筒外周面に強く当接して軸筒外周面に当接跡や傷が付くようなことを防ぐことができる。
【発明を実施するための最良の形態】
【００１０】
以下、本発明の実施の形態を図面に基づいて説明する。
この開閉操作機能付クリップの支持構造１は、筆記具における軸筒ａ（図４参照）の後端側の外周部に設けられるクリップ支持体１０と、該クリップ支持体１０に枢支されたクリップ２０と、前記クリップ２０の枢支部よりも後部側と前記クリップ支持体１０との間に設けられた圧縮コイルバネ３０とを備え、圧縮コイルバネ３０の付勢力に抗してクリップ２０の枢支部よりも後部側がクリップ支持体１０側へ押圧されることで、クリップ２０の枢支部よりも前部側をクリップ支持体１０から離間する開放方向へ揺動させる。
なお、前記前部側とは、クリップ２０の長手方向において玉部２１ａを有する側を意味し、換言すればクリップ２０の先端側のことである。また、前記後部側とは、前記前部側に対する逆側であり、換言すればクリップ２０の後端側のことである。
【００１１】
クリップ支持体１０は、軸筒ａに対し所定量進退するように設けられるとともに軸筒ａ内の図示しないスプリングによって後方へ付勢されている。このクリップ支持体１０の前端側には、図示しないシャープペンシル用リフィールやボールペン用リフィール等が接続される。図示例のクリップ支持体１０は、スライド駒や押子等と呼称される場合もある。
このクリップ支持体１０は、軸筒遠心方向（図１によれば上方向）へ突出する支持体本体部１１と、該支持体本体部１１よりも軸筒後方側に配設されたバネ嵌合凹部１２とを有する。
【００１２】
支持体本体部１１は、後述するクリップ２０の両側板部２２，２２間に位置するように、軸筒遠心方向へ突出するとともに軸筒軸方向へわたる略直方体状に形成されている。
この支持体本体部１１の両側面の各々には、クリップ２０の枢支凸部２２ａを後方（図１によれば右方向）へ導く案内溝１１ａと、該案内溝１１ａ内の後方側に位置してクリップ２０の枢支凸部２２ａと嵌り合う枢支凹部１１ｂとが設けられている。
【００１３】
案内溝１１ａは、支持体本体部１１の側面において、その前端部から後方へわたる溝である。この案内溝１１ａ内の後部側には、クリップ２０の枢支凸部２２ａを乗り越え嵌合させるように、クリップ拡幅方向（図２によれば上下方向）へ徐々に突出する突部１１ａ１が設けられる。
【００１４】
枢支凹部１１ｂは、前記突部１１ａ１よりも更に後方側に設けられ、後述するクリップ２０の枢支凸部２２ａと協働して枢支部を構成する。
この枢支凹部１１ｂは、クリップ２０の断面略円形状の枢支凸部２２ａに嵌り合う有底穴状に形成され、より詳細には、開口部側から視て略正方形状（図１参照）に形成されている。この構成によれば、枢支凹部１１ｂ内面と枢支凸部２２ａ外周面との接点を、略点接触にすることができ、枢支凸部２２ａを回動させる際の摩擦抵抗を軽減することができる。
この枢支凹部１１ｂの内周部には、クリップ２０の開放動作に伴って枢支凸部２２ａが所定量回動した際に、該枢支凸部２２ａの後述する係止突起２２ａ１に当接されるように、被当接部１１ｂ１が設けられている。
【００１５】
被当接部１１ｂ１は、枢支凹部１１ｂにおける前方寄りであって且つ軸筒遠心方向（図１によれば上方）寄りに配置された凹部である。この被当接部１１ｂ１の深さは、後述する係止突起２２ａ１を所定量回動させるように適宜に設定されている。
【００１６】
また、バネ嵌合凹部１２は、圧縮コイルバネ３０の一端側を周囲から覆う略筒状に形成される。
より詳細に説明すれば、バネ嵌合凹部１２の開口部側は、圧縮コイルバネ３０の外周面に接触しないように、圧縮コイルバネ３０外径よりも大きい内径の略筒状に形成される。
また、バネ嵌合凹部１２内周面の底部側には、圧縮コイルバネ３０の外周面に圧接される圧接部１２ａが形成されている。この圧接部１２ａは、バネ嵌合凹部１２内周方向へ間隔を置いて複数配設されている。各圧接部１２ａは、バネ嵌合凹部１２内周面から突出して圧縮コイルバネ３０外周面に当接するように形成される。
この構成によれば、圧縮コイルバネ３０の一端側に対し、部分的に圧接部１２ａを接触させる構成としているため、圧縮コイルバネ３０の伸縮性が損なわれるようなことを防ぐことができ、圧縮コイルバネ３０の弾発性能を効果的に発揮することができる。
【００１７】
また、クリップ２０は、軸筒軸方向へわたる表板部２１と、該表板部２１の幅方向の両側からクリップ支持体１０側へ突出する両側板部２２，２２とを備え、両側板部２２，２２の各内面に、枢支部を構成する枢支凸部２２ａを設けている。
【００１８】
表板部２１は、軸筒ａの外周面に略平行する板状を呈し、その前端側の内面には、軸筒ａの外周面に近接または接触する玉部２１ａ（図３参照）を有する。
また、前記表板部２１における枢支部よりも後端側の内面には、圧縮コイルバネ３０の一端側を受けるバネ受部２１ｂが設けられている。
このバネ受部２１ｂは、圧縮コイルバネ３０の位置合わせを不要にするとともに、圧縮コイルバネ３０の内外面に干渉して圧縮コイルバネ３０の伸縮性を阻害しないように、圧縮コイルバネ３０の径方向の内外にわたって凹凸のない略平坦面状に形成されている。
【００１９】
また、側板部２２は、表板部２１におけるクリップ幅方向（図３（ａ）によれば上下方向）の両側に位置するように二つ設けられる。
各側板部２２は、表板部２１内面から支持体本体部１１側へ突出するとともに、前後方向へわたるように形成される。
各側板部２２には、支持体本体部１１の枢支凹部１１ｂと協働して枢支部を構成する枢支凸部２２ａが設けられる。
【００２０】
枢支凸部２２ａは、側板部２２内面からクリップ幅方向に沿って突出する略円筒状の突起であり、その突端面の後端側（図３によれば右端側）には、傾斜面２２ａ２が設けられる。この傾斜面２２ａ２は、クリップ後方へ向かうとともにクリップ拡幅方向へ向かう面である。この傾斜面２２ａ２によれば、枢支凸部２２ａを支持体本体部１１の案内溝１１ａに挿入する際の摩擦抵抗を小さくして、その嵌め合わせ作業をスムーズにすることができる。
【００２１】
枢支凸部２２ａの外周部には、係止突起２２ａ１が設けられる。
この係止突起２２ａ１は、略円筒状の枢支凸部２２ａの外周面を部分的に径方向へ突出させることで形成された突起であり、クリップ２０が所定量開放動作した際に、枢支凹部１１ｂ内の被当接部１１ｂ１に当接して枢支凸部２２ａの回動量を規制する。
【００２２】
係止突起２２ａ１は、図示した好ましい一例によれば、クリップ前方寄り（図１によれば左寄り）であって且つ前記表板部２１寄り（図１によれば上寄り）に配置されている。
この配置によれば、クリップ２０の開放動作量を効果的に抑制できる上、組み付け作業性、および成形性も良好である。
より詳細に説明すれば、クリップ支持体１０に対しクリップ２０を組み付ける作業において、枢支凸部２２ａを案内溝１１ａに挿入する際に、係止突起２２ａ１は挿入方向の後端側に位置するため抵抗を生じ難い（図１参照）。
また、クリップ２０の成形の際には、図３（ｂ）に示すように、パーティングラインＰＬを境にした上側の金型を図示の右方向へ移動するとともに、同パーティングラインＰＬを境とした下側の金型を図示の下方へ移動する型抜きによって枢支凸部２２ａを形成することができる。
【００２３】
次に、開閉操作機能付クリップの支持構造１の組み立て手順について詳述する。
先ず、クリップ支持体１０のバネ嵌合凹部１２に対し圧縮コイルバネ３０が嵌合される（図１参照）。圧縮コイルバネ３０は、バネ嵌合凹部１２内の圧接部１２ａに圧接されて容易に脱落することのないように保持される。
【００２４】
そして、クリップ支持体１０における支持体本体部１１の前方側に、クリップ２０の枢支凸部２２ａを配置する。そして、クリップ支持体１０の前進またはクリップ２０の後退により、支持体本体部１１の案内溝１１ａ内に、枢支凸部２２ａが挿入される。
【００２５】
次に、枢支凸部２２ａを案内溝１１ａ後方側へ移動し、この枢支凸部２２ａを枢支凹部１１ｂに嵌め合わせる。前記移動の際、クリップ２０の両側板部２２，２２が拡幅方向（図３（ａ）によれば上下方向）へ弾性的に広がり、各枢支凸部２２ａが案内溝１１ａ内で突部１１ａ１を乗り越えて枢支凹部１１ｂに嵌り合う。
【００２６】
よって、上記構成の開閉操作機能付クリップの支持構造１によれば、クリップ支持体１０のバネ嵌合凹部１２に圧縮コイルバネ３０を嵌め合わせた後、クリップ２０をクリップ支持体１０に対しその前方側から接近させるという簡単な作業により組み立てが完了し、その作業性が良好である。
【００２７】
また、上記開閉操作機能付クリップの支持構造１によれば、図４に示すように、クリップ２０の後端側が、圧縮コイルバネ３０の弾発力に効して押圧されると、クリップ２０の前端側が軸筒ａの外周面から離間して開放する。この開放状態は、枢支凸部２２ａの係止突起２２ａ１が、枢支凹部１１ｂの被当接部１１ｂ１に当接することによって維持される。
よって、係止突起２２ａ１と被当接部１１ｂ１との当接によりクリップ２０の開放量を規制して、クリップ２０が通常の回動範囲を超えて開放動作してしまうのを抑制することができる。
ひいては、クリップ２０の後端部が軸筒ａ外周面に当接する際の衝撃を緩和して、軸筒ａ外周面に押圧跡や傷が付くようなことを防ぐことができる。
【００２８】
なお、図示例によれば、図４（ｂ）に示すように、クリップ２０が所定量開放動作した際、係止突起２２ａ１と被当接部１１ｂ１とが当接するのと略同時に、クリップ２０後端部と軸筒ａ外周面とが当接するようにしたが、他例としては、係止突起２２ａ１と被当接部１１ｂ１との当接のみによりクリップ２０の開放動作量を規制し、クリップ２０後端部と軸筒ａ外周面とを当接させない構成とすることも可能である。
【００２９】
なお、上記実施の形態によればクリップ支持体１０を軸筒ａとは別体の部材（具体的にはスライド駒等）に一体に構成したが、他例としては、クリップ支持体１０を、筆記具の軸筒ａやキャップ等に対し一体に構成するようにしてもよい。
【００３０】
また、上記実施の形態によれば、クリップ支持体１０側にバネ嵌合凹部１２を設けるようにしたが、他例としては、クリップ２０側にバネ嵌合凹部１２を設けるとともに、クリップ支持体１０側に、圧縮コイルバネ３０の内外にわたって凹凸のない略平坦面状のバネ受部を設けることも可能である。
【００３１】
また、上記実施の形態によれば、係止突起２２ａ１をクリップ前方寄りであって且つクリップ２０の表板部２１寄りに配置したが、他例としては、係止突起２２ａ１を枢支凸部２２ａ外周部における前記以外の箇所、例えばクリップ後方寄りであって軸筒求心方向寄りの箇所等に配置することも可能である。
【図面の簡単な説明】
【００３２】
【図１】本発明に係わる開閉操作機能付クリップの支持構造の一例について、組み付け前の状態を示す側面図であり、一部を断面で示している。
【図２】クリップ支持体の一例を示す平面図である。
【図３】（ａ）はクリップの一例を示す下面図であり、（ｂ）は同クリップの縦断面図である。
【図４】（ａ）はクリップの閉鎖状態を示す要部断面図、（ｂ）はクリップの開放状態を示す要部断面図である。
【符号の説明】
【００３３】
１：開閉操作機能付クリップの支持構造          １０：クリップ支持体
１１：支持体本体部                            １１ａ：案内溝
１１ｂ：枢支凹部                              １１ｂ１：被当接部
２０：クリップ                                ２１：表板部
２２：側板部                                  ２２ａ：枢支凸部
２２ａ１：係止突起                            ３０：圧縮コイルバネ
ａ：軸筒
【図１】
2010083070.tif 000003
【図２】
2010083070.tif 000004
【図３】
2010083070.tif 000005
【図４】
2010083070.tif 000006